(57)【要約】【課題】ＯＶＤ媒体の偽造防止効果を更に高めるものであり、真偽判定が多回数可能であり、耐性及び画像の精細さの点で制約されず、非常な簡単な道具を用いることで、偽造か否かの真偽判定を容易に行うことができるＯＶＤ媒体の偽造防止方法を提供する。【解決手段】基材１３に潜像形成層１４とＯＶＤ層１５とを設け、該潜像形成層に、偏光フィルムを介した目視によって視認可能で、且つ、偏光フィルムを介さない目視によっては視認不能又は視認困難な配向を利用して形成された潜像部分を設けてＯＶＤ媒体の偽造を防止すること。【選択図】図３
2006043978.tif 000002
【特許請求の範囲】
【請求項１】
基材に潜像形成層とＯＶＤ層とを設け、該潜像形成層に、偏光フィルムを介した目視によって視認可能で、且つ、偏光フィルムを介さない目視によっては視認不能又は視認困難な配向を利用して形成された潜像部分を設けてＯＶＤ媒体の偽造を防止することを特徴とするＯＶＤ媒体の偽造防止方法。
【請求項２】
基材に潜像形成層とＯＶＤ層とを設け、該潜像形成層に、偏光フィルムを介した目視によって視認可能で、且つ、偏光フィルムを介さない目視によっては視認不能又は視認困難な配向を利用して形成された潜像部分を設けたことを特徴とする偽造防止を施したＯＶＤ媒体。
【請求項３】
前記潜像形成層の材料が、外力によって配向されることにより形成可能な潜像部分を設けることが可能な高分子材料であることを特徴とする請求項２に記載の偽造防止を施したＯＶＤ媒体。
【請求項４】
前記潜像形成層の材料が、自己組織化する二色性色素からなるリオトロピック液晶材料であることを特徴とする請求項２に記載の偽造防止を施したＯＶＤ媒体。
【請求項５】
前記潜像形成層に形成された潜像部分は、印刷或いはコーティングにより配向させて設けたことを特徴とする請求項４記載の偽造防止を施したＯＶＤ媒体。
【請求項６】
前記潜像部分は、文字・絵柄等の情報を有するパターン形状の潜像画像であることを特徴とする請求項２〜請求項５のいずれか１項に記載の偽造防止を施したＯＶＤ媒体。
【請求項７】
前記潜像形成層に保護層を設けたことを特徴とする請求項２〜請求項６のいずれか１項に記載の偽造防止を施したＯＶＤ媒体。
【請求項８】
前記ＯＶＤ層に金属材料からなる光反射層を設けたことを特徴とする請求項２〜請求項７のいずれか１項に記載の偽造防止を施したＯＶＤ媒体。
【請求項９】
前記偏光フィルムが直線偏光フィルムであることを特徴とする請求項２〜請求項８のいずれか１項に記載の偽造防止を施したＯＶＤ媒体。
【請求項１０】
請求項２〜請求項９のいずれか１項に記載の偽造防止を施したＯＶＤ媒体を用いたステッカーであることを特徴とするＯＶＤ媒体を用いたステッカー。
【発明の詳細な説明】
【技術分野】
【０００１】
本発明は、隠し文字やパターンを表示させることを目的とした、潜像を用いた偽造防止方法及び媒体に関するものであり、特に、偽造か否かの真偽判定を容易に行う際に、専用の検証媒体を用いて潜像画像を目視確認することが可能であるＯＶＤ媒体の偽造防止方法、偽造防止を施したＯＶＤ媒体、及びそのＯＶＤ媒体を用いたＯＶＤステッカーに関する。
【背景技術】
【０００２】
従来から潜像を偽造防止に用いた方法は種々ある。
例えば、万線のピッチの隙間を利用して隠し文字等を入れ、万線部分を隠蔽することで隠し文字が現れる万線画や、透明インキメジウム中にフィラーを入れたものを印刷し鉛筆でその部分を擦ると鉛筆の粉が印刷部分に付着して隠し文字が現れる鉛筆出し印刷（デコマット）がある。これらの潜像画像はよく見るとわかってしまうため、本格的な潜像というよりは、遊び用として使用されている。
【０００３】
次に、網点や万線のモアレ（干渉縞）を利用して潜像画像を形成する方法がある。この方法は、網点や万線のピッチもしくは角度を部分的に変えることにより、整然と並んだ網点もしくは万線の透明フィルムを潜像画像に重ねることでモアレが発生し、画像が出現する。この場合、簡単な表示用媒体のため、繰り返し使用が可能であるが、その反面、複雑な画像を形成できないという問題がある。
【０００４】
また、可視光下では目視し難いが、一定条件下でのみ、印刷画像を確認できる機能性インキに、蛍光インキや赤外線吸収インキがある。蛍光インキは紫外線を照射することにより発行するインキで、白色または無色透明のインキがあることより潜像画像として用いられている。蛍光インキには有機タイプと無機タイプがあり、有機タイプは印刷インキ中にごく少量含有するだけで発光が確認されるが、耐光性が弱いため用途が限定される。また、無機タイプは印刷インキ中に多く入れる必要があり（１０〜２０％程度）、潜像画像としては目視でわかってしまうため、デザイン等に工夫が必要である。
【０００５】
赤外線域を利用し赤外光を吸収するインキにて画像を形成し、この上に前記画像を隠蔽し目視できないようにするとともに、赤外線領域で光を透過する層を設けた潜像画像があるが、この潜像画像を表示させるためには赤外線カメラ等が必要であり、装置的に大がかりとなる。また、可視光域では白色もしくは無色であるが赤外線域に吸収のあるインキ（ＩＶインキ）があるが、これも前記同様赤外線カメラ等が必要である。
このように、上記の方法では、繰り返し表示が可能な反面、潜像の表示に特定の検出装置が必要である。
【０００６】
近年では、材料の持つ光機能を利用した潜像形成方法がある。これは、位相差フィルムの一部分に加熱処理又は溶剤処理などを施すことで、位相差を生じさせ、偏光板を介して、その位相差の部分的相違を視覚化して視認する方法である。しかし、上記の方法では、位相差の部分的相違が目視によって視認することができてしまうため、デザイン等に一工夫必要である（例えば、特許文献１参照。）。
また、液晶材料の持つ複屈折性を利用した潜像形成方法もある。これは、サーモトロピック性を示す液晶材料を部分的に配向させ、潜像画像を形成し、その上に偏光板を介することで、配向させた部分を潜像画像として目視視認することができる（例えば、特許文献２参照。）。
【０００７】
一方、従来から、ホログラムや回折格子、或いは見る角度により色の変化（カラーシフト）を生じる多層薄膜のようなＯＶＤ（Ｏｐｔｉｃａｌ  Ｖａｒｉａｂｌｅ  Ｄｅｖｉｃｅ）は、光の干渉を用いて立体画像や特殊な装飾画像を表現し得る。これらのＯＶＤは立体画像やカラーシフトと言った特殊な印象を与えるため、優れた装飾効果を有しており、各種包飾材、絵本、カタログ等の一般的な印刷物に利用されている。更に、これらのＯＶＤの製造方法は高度な製造技術を要するため、偽造防止手段として、クレジットカード、有価証券、証明書類等の一部或いは全面に形成され、偽造防止が施された媒体として使用されている。
【０００８】
ホログラムや回折格子のようなＯＶＤは、微細な凹凸パターンや屈折率の異なる縞状パターン等の回折構造からなっており、光の干渉と回折により見る角度（すなわち、ホログラムを支持している角度）に応じて、固有の像や色の変化（カラーシフト）が生じるものである。また、多層薄膜のようなＯＶＤは、光学特性の異なるセラミックや金属を幾重にも積層した構造である。この多層薄膜は構成する材料の光学特性と膜厚により得られる光の干渉作用を利用したものであり、特定の波長域に反射・透過特性を有しているため、観察する角度によりカラーシフトが生じるものである。以下では、これらの光の干渉を利用したホログラム、回折格子、多層薄膜等を総称してＯＶＤと称することとする。
【０００９】
ホログラムは製造方法により、レリーフ型ホログラム及び体積型ホログラムに分けられる。まず、レリーフ型ホログラムは、光学的撮影方法により微細な凹凸パターンからなるレリーフ型のマスターホログラムを作製し、これから電気メッキ法により凹凸パターンを複製したニッケル製のプレス版を複製し、このプレス版をホログラム形成層上に加熱押圧すると言う周知の方法により製造するホログラムである。次に、感光性樹脂等の記録材を用いて、体積方向に干渉縞を記録する体積型ホログラムがある。この型のホログラムでは、リップマンホログラムと呼ばれるものが一般に使用されており、感光性樹脂の屈折率を体積方向に変化させ、反射型ホログラムとしたものである。
【００１０】
更に、回折格子を用いたものは、このような立体画像を再生し得るホログラムと異なり、微少なエリアに複数種類の単純な回折格子を配置して画素とし、グレーティングイメージ、ピクセルグラムと呼ばれる画像を表現するものである。このような回折格子を用いた画像は、レリーフ型ホログラムと同様な方法で大量複製が行われている。
【００１１】
近年、液晶材料の持つ複屈折性を利用した潜像技術とホログラム等の光の干渉画像を複合した偽造防止技術として、目視では単なるホログラム画像のみが視認でき、偏光板を介することで潜像画像を確認することができるＯＶＤ層を有する潜像画像媒体が提案されている（例えば、特許文献３参照。）。
【特許文献１】特開平９−８１０６２号公報
【特許文献２】特開２００１−３９１００号公報
【特許文献３】特開２００１−６３３００号公報
【発明の開示】
【発明が解決しようとする課題】
【００１２】
以上、説明してきたように、これらのＯＶＤの製造には高度な技術を要することから偽造防止の有効な手段としてクレジットカード、有価証券、証明書類等の一部に貼着し、或いは、全面に形成し偽造防止が施された媒体として使用されているが、本発明は、これらのＯＶＤ媒体の偽造防止効果を更に高めるものであり、潜像を偽造防止に用いた際の前記
問題点を解決し、潜像をＯＶＤ媒体に付加したものである。
すなわち、本発明は、潜像をＯＶＤ媒体に付加して偽造防止効果を更に高める際に、真偽判定が多回数可能であり、耐性及び画像の精細さの点で制約されず、非常な簡単な道具を用いることで、偽造か否かの真偽判定を容易に行うことができるＯＶＤ媒体の偽造防止方法を提供することを課題とする。また、このような偽造防止を施したＯＶＤ媒体、及びそのＯＶＤ媒体を用いたステッカーを提供することを課題とする。
【課題を解決するための手段】
【００１３】
本発明は、基材に潜像形成層とＯＶＤ層とを設け、該潜像形成層に、偏光フィルムを介した目視によって視認可能で、且つ、偏光フィルムを介さない目視によっては視認不能又は視認困難な配向を利用して形成された潜像部分を設けてＯＶＤ媒体の偽造を防止することを特徴とするＯＶＤ媒体の偽造防止方法である。
【００１４】
また、本発明は、基材に潜像形成層とＯＶＤ層とを設け、該潜像形成層に、偏光フィルムを介した目視によって視認可能で、且つ、偏光フィルムを介さない目視によっては視認不能又は視認困難な配向を利用して形成された潜像部分を設けたことを特徴とする偽造防止を施したＯＶＤ媒体である。
【００１５】
また、本発明は、上記発明による偽造防止を施したＯＶＤ媒体において、前記潜像形成層の材料が、外力によって配向されることにより形成可能な潜像部分を設けることが可能な高分子材料であることを特徴とする偽造防止を施したＯＶＤ媒体である。
【００１６】
また、本発明は、上記発明による偽造防止を施したＯＶＤ媒体において、前記潜像形成層の材料が、自己組織化する二色性色素からなるリオトロピック液晶材料であることを特徴とする偽造防止を施したＯＶＤ媒体である。
【００１７】
また、本発明は、上記発明による偽造防止を施したＯＶＤ媒体において、前記潜像形成層に形成された潜像部分は、印刷或いはコーティングにより配向させて設けたことを特徴とする偽造防止を施したＯＶＤ媒体である。
【００１８】
また、本発明は、上記発明による偽造防止を施したＯＶＤ媒体において、前記潜像部分は、文字・絵柄等の情報を有するパターン形状の潜像画像であることを特徴とする偽造防止を施したＯＶＤ媒体である。
【００１９】
また、本発明は、上記発明による偽造防止を施したＯＶＤ媒体において、前記潜像形成層に保護層を設けたことを特徴とする偽造防止を施したＯＶＤ媒体である。
【００２０】
また、本発明は、上記発明による偽造防止を施したＯＶＤ媒体において、前記ＯＶＤ層に金属材料からなる光反射層を設けたことを特徴とする偽造防止を施したＯＶＤ媒体である。
【００２１】
また、本発明は、上記発明による偽造防止を施したＯＶＤ媒体において、前記偏光フィルムが直線偏光フィルムであることを特徴とする偽造防止を施したＯＶＤ媒体である。
【００２２】
また、本発明は、請求項２〜請求項９のいずれか１項に記載の偽造防止を施したＯＶＤ媒体を用いたステッカーであることを特徴とするＯＶＤ媒体を用いたステッカーである。
【発明の効果】
【００２３】
以上述べたように、本発明はリオトロピック液晶材料の配向特性を偽造防止に利用することにより、基材上に、潜像形成層と、ＯＶＤ層とを設けたＯＶＤ媒体は目視では画像パ
ターンが全く分からない潜像画像が得られ、この潜像画像は偏光フィルムを介する簡単な検証方法にて確認できるという効果を奏する。
【発明を実施するための最良の形態】
【００２４】
以下、本発明の実施の形態を、図面を参照して詳細に説明する。
図１は、本発明の偽造防止を施したＯＶＤ媒体の一実施例の平面図であり、図２は、図１の偽造防止を施したＯＶＤ媒体に偏光板１２を重ねたときに出現する潜像画像１１の説明図である。また、図３は、図２に示すＸ−Ｘ線における、図１に示す本発明の偽造防止を施したＯＶＤ媒体の断面図である。また、図４は本発明の偽造防止を施したＯＶＤ媒体を段ボールに貼り付けた画像形成体の一実施例を示す斜視図であり、図５は図４の画像形成体のＹ−Ｙ線における断面図である。
【００２５】
図６は、本発明の偽造防止を施したＯＶＤ媒体の他の第一例を示す平面図である。また、図７は、図６の偽造防止を施したＯＶＤ媒体に偏光板３１を重ねたときに出現する潜像画像３２の説明図である。図８は、図６の偽造防止を施したＯＶＤ媒体に偏光板を角度を変えて重ねたときに出現する他の潜像画像の説明図である。また、図９は、図７及び図８に示すＺ−Ｚ線における、図６に示す本発明の偽造防止を施したＯＶＤ媒体の断面図である。図１０は、本発明の偽造防止を施したＯＶＤ媒体の他の第二例を示す断面図である。図１１は、本発明の偽造防止を施したＯＶＤ媒体の他の第三例を示す断面図である。
【００２６】
図１の偽造防止を施したＯＶＤ媒体１の平面図において、目視では潜像画像が確認できず単なるホログラム画像媒体にしか見えない。しかしながら図２のように偽造防止を施したＯＶＤ媒体１の上に偏光フィルム１１を重ねることで潜像画像１２が出現する。以下、図３を参照しながら、本発明の偽造防止を施したＯＶＤ媒体を説明する。
【００２７】
基材１３は、ポリエチレンテレフタレート、ポリ塩化ビニル、ポリエステル、ポリカーボネート、ポリメタクリル酸メチル、ポリアクリル酸、ポリスチレン等の合成樹脂、天然樹脂のフィルム、合成紙、紙、ガラスなどから単独で選択されたもの、または上記より選択されて組み合わされた複合体等が使用可能である。
【００２８】
潜像形成層１４は、自己組織化する二色性色素からなるリオトロピック液晶材料で形成する。自己組織化する二色性色素には、ビスアゾ系、トリスアゾ系、ベンジジン系、ジフェニル尿素系、ジナフチルアミン系等の色素がある。
【００２９】
潜像形成層１４には、液晶材料の液晶相を破壊または破損することがない様な、高分子材料をバインダーとして添加することができる。例えば、ポリアミド、ポリイミド、ポリエステル共重合体等がある。
【００３０】
リオトロピック液晶材料からなるこの潜像形成層１４は、例えば、グラビア印刷法、マイクログラビアコーター法、ダイコーター法、ノズルコーター法等の既知の塗布手段により塗布する。この潜像形成層１４は、特殊な塗工条件下で、上記塗布手段を用いると塗布した状態で、液晶分子の一定方向への配向が生じる。
【００３１】
ＯＶＤ形成層１５は、光の干渉を利用したホログラム、回折格子、多層薄膜等が形成された層であり、ＯＶＤ層と呼ばれることもある。ホログラムや回折格子のようなＯＶＤとしては、光の干渉縞を微細な凹凸パターンとして平面に記録するレリーフ型や体積方向に干渉縞を記録する体積型がある。また、見る角度により色の変化（カラーシフト）を生じる多層薄膜のようなＯＶＤとしては、光学特性の異なるセラミックスや金属薄膜を積層したものがある。この他に、光の干渉を利用した固有の像や色の変化を生じるものであればこれらに限られるわけではない。これらのＯＶＤの中では、量産性やコストを考慮した場
合には、レリーフ型ホログラム（回折格子）や多層薄膜が好ましいものである。
【００３２】
レリーフ型ホログラム（回折格子）は光学的な撮影方法により、微細な凹凸パターンからなるレリーフ型のマスターホログラムを作製し、次に、このマスターホログラムから電気メッキ法により凹凸パターンを複製したニッケル製のプレス版を作製し量産を行う。すなわち、このプレス版を加熱し、ＯＶＤ形成層に押し当て、凹凸パターンを複製する。それ故、ＯＶＤ形成層は熱による成形性が良好で、プレスムラが生じ難く、明るい再生像が得られる材料であることが必要であり、例えば、ポリカーボネート樹脂、ポリスチレン樹脂、ポリ塩化ビニル樹脂等の熱可塑性樹脂、不飽和ポリエステル樹脂、メラミン樹脂、エポキシ樹脂等の熱硬化性樹脂、或いはラジカル重合性不飽和基を有する紫外線や電子線硬化性樹脂を単独或いは複合して用いることができる。また、上記以外のものでも、ＯＶＤ形成層として凹凸パターンが形成可能である安定性を有する材料であれば使用可能である。
【００３３】
図３に示すように、ＯＶＤ形成層１５にレリーフ型のホログラム（回折格子）を用いた場合、その回折効率を高めるためレリーフ面を構成する高分子材料と屈折率の異なる光反射層（ＯＶＤ効果層）１６を設けることが好ましい。
この光反射層（ＯＶＤ効果層）１６を設けることにより、回折効率が向上し、より鮮明な画像や色の変化をもたらす。用いる材料としては、屈折率の異なるＴｉＯ2、Ｓｉ2Ｏ3、ＳｉＯ、Ｆｅ2Ｏ3、ＺｎＳ、などの高屈折率材料やより反射効果の高いＡｌ、Ｓｎ、Ｃｒ、Ｎｉ、Ｃｕ、Ａｕ等の金属材料が挙げられ、これら材料を単独あるいは積層して使用できる。これらの材料は真空蒸着法、スパッタリング等の公知の薄膜形成技術にて形成され、その膜厚は用途によって異なるが、５〜１０００ｎｍ程度で形成される。
【００３４】
上記以外でも、光反射層（ＯＶＤ効果層）１６を構成する材料としては、その屈折率が、ＯＶＤ形成層１５で使用する高分子材料（屈折率ｎ＝１．３〜１．５）よりも高い材料であれば、上記の無機材料以外の有機系、有機無機複合体、有機系材料に無機系フィラーを分散したものであっても使用可能である。これらの材料はグラビアコート、ダイコート、スクリーン印刷等の公知のコーティング法や、印刷法にて０．１μｍ〜１０μｍ程度形成される。さらには、上記以外の材料であっても反射性を有した材料であれば、適宜使用することが可能である。
【００３５】
一方、図５に示すように、多層薄膜からＯＶＤが形成される多層薄膜ＯＶＤ層２０は、異なる光学適性を有する薄膜層２６、２７、２８からなり、金属薄膜、セラミックス薄膜またはそれらを併設してなる複合薄膜として積層形成される。例えば、屈折率の異なる薄膜を積層する場合、高屈折率の薄膜と低屈折率の薄膜を組み合わせても良く、また特定の組み合わせにより、所望の多層薄膜を得ることができる。
【００３６】
この多層薄膜には、セラミックスや金属などの材料が用いられ、おおよそ屈折率が２．０以上の高屈折率材料と屈折率が１．５程度の低屈折率材料を所定の膜厚保で積層したものである。以下に用いられる材料の一例を挙げる。まず、セラミックスとしては、例えば、Ｓｂ2Ｏ3（３．０＝屈折率：以下同じ）、Ｆｅ2Ｏ3（２．７）、ＴｉＯ2（２．６）、ＣｄＳ（２．６）、ＣｅＯ2（２．３）、ＺｎＳ（２．３）、ＰｂＣｌ2（２．３）、ＣｄＯ（２．２）、Ｓｂ2Ｏ3（２．０）、ＷＯ3（２．０）、ＳｉＯ（２．０）、Ｓｉ2Ｏ3（２．５）、Ｉｎ2Ｏ3（２．０）、ＰｂＯ（２．６）、Ｔａ2Ｏ3（２．４）、ＺｎＯ（２．１）、ＺｒＯ2（２．０）、ＭｇＯ（１．６）、ＳｉＯ2（１．５）、ＭｇＦ2（１．４）、ＣｅＦ3（１．６）、ＣａＦ2（１．３〜１．４）、ＡｌＦ3（１．６）、Ａｌ2Ｏ3（１．６）、ＧａＯ（１．７）等が挙げられる。
【００３７】
金属単体もしくは合金の薄膜としては、例えば、Ａｌ、Ｆｅ、Ｍｇ、Ｚｎ、Ａｕ、Ａｇ
、Ｃｒ、Ｎｉ、Ｃｕ、Ｓｉ等が挙げられる。また、低屈折率の有機ポリマーとしては、例えば、ポリエチレン（１．５）、ポリプロピレン（１．４９）、ポリテトラフロロエチレン（１．３５）、ポリメチルメタアクリレート（１．４９）、ポリスチレン（１．６０）等が挙げられる。これらの高屈折率材料、もしくは透過率３０〜６０％の金属薄膜より少なくとも一種、低屈折率材料より少なくとも一種選択し、所定の厚さで交互に積層させることにより、特定の波長の可視光に対する吸収あるいは反射を示す多層薄膜となる。
【００３８】
上記の各材料の中から、屈折率、反射率、透過率等の光学特性や耐候性、耐薬品性、層間密着性などに基づき、材料を適宜選択し、薄膜として積層し多層薄膜を形成する。形成方法は公知の手法を用いることができ、膜厚、成膜速度、積層数、あるいは光学膜厚（＝ｎ＊ｄ、ｎ：屈折率、ｄ＝膜厚）等の制御が可能な、通常の真空蒸着法、スパッタリング法等の物理的気相析出法やＣＶＤ法等の化学的気相析出法を用いることができる。また、低屈折率の有機ポリマーの成膜方法としては、公知のグラビア印刷法、オフセット印刷法、スクリーン印刷法等の印刷方法やバーコート法、グラビア法、ロールコート法等の塗布方法を用いることができる。なお、本発明ではセラミックス及び金属と同等、あるいは類似する屈折率と反射率を有するものであれば、用いること可能である。
【００３９】
この多層薄膜層の層厚は、具体的には５〜２０００ｎｍの範囲であり、また、薄膜の層構成は上記高屈折率の材料もしくは金属材料からなる薄膜、例えば、ＺｎＳ、ＴｉＯ2、Ｉｎ2Ｏ3、ＳｎＯ、ＩＴＯ、ＣｅＯ2、ＺｎＯ、Ｔａ2Ｏ3、Ａｌ、Ｆｅ、Ｍｇ、Ｚｎ、Ａｕ、Ａｇ、Ｃｒ、Ｎｉ、Ｃｕ、Ｓｉ、等と、上記低屈折率の材料から成る薄膜、例えば、ＭｇＦ2、ＳｉＯ2、ＣａＦ2、ＭｇＯ、Ａｌ2Ｏ3等との組み合わせであり、それらを交互に積層し、その積層数が２層以上、好ましくは２層から９層である。分光特性は層数に応じて変化する。尚、用いる材料、組み合わせにより多層膜の光学特性が異なるため、これらに限定されるものではない。
【００４０】
本発明におけるＯＶＤ媒体においては、潜像形成層またはＯＶＤ層上に位置するように有色透明インキ等による着色層を設けることにより、観察されるＯＶＤの色変化がより多彩になり、且つ見易くなり、その確認が容易となり、偽造防止効果を更に向上させることができる。
【００４１】
図１０に示すように、保護層４１は、潜像形成層４２、ＯＶＤ形成層４３を外傷から保護する役割を持つもので、使用される樹脂としては、例えば、アクリル系樹脂、ウレタン系樹脂、塩化ビニル樹脂−酢酸ビニル共重合樹脂、ポリエステル系樹脂、メラミン系樹脂、エポキシ系樹脂、ポリスチレン系樹脂、ポリイミド樹脂等の従来公知の熱可塑性樹脂、熱硬化性樹脂、紫外線または電子線硬化樹脂を単独或いは、混合物して用いられる。更に、樹脂を架橋する硬化剤、ポリエチレンワッス、カルナバワックス、シリコンワックス等のワックス類、或いは炭酸カルシウム、ステアリン酸亜鉛、シリカ、アルミナ、タルク等の体質顔料、シリコ−ン油脂等の油脂類の透明性を損なわない範囲で添加することができる。この保護層４１に用いる樹脂は、例えばグラビア印刷法、スクリーン印刷法、ノズルコーター法等の既知の塗布手段およびオフセット印刷法、フレキソ印刷法等の印刷手段により塗工する。
【００４２】
図１１に示すように、接着層５４、５５は、ＯＶＤ効果層５３と潜像形成層５６、５７とを接着させるという性能が要求される。その材質としては、熱可塑性樹脂が好ましく、アクリル系樹脂、ウレタン系樹脂、エポキシ系樹脂、ポリエステル系樹脂、ビニル系樹脂等の単体或いは共重合体を、単独もしくは複合して使用可能であるが、これに限定されるものではない。これらの接着層材料は、例えば、グラビア印刷法、スクリーン印刷法、ノズルコーター法等の既知の塗布手段により塗布する。
【００４３】
図２の偏光フィルム１２としては、ＰＶＡ延伸フィルムにヨードを吸収させたＰＶＡ−ヨウ素型、二色性染料型、金属または金属化合物含有型、ポリエン型などの高分子多結晶型が考えられ、特にＰＶＡ−ヨウ素型、二色性染料型フィルムが用いられる。
【実施例１】
【００４４】
厚さ５０μｍのアクリル基材上に下記［潜像形成層の組成］からなる潜像形成層材料インキをスクリーン印刷法にて、乾燥温度６０℃、塗布厚５００ｎｍでパターン印刷を行った。更に、同じ潜像形成層材料インキをスクリーン印刷法にて、乾燥温度６０℃、塗布厚５００ｎｍで逆パターン印刷を行った。その上に、下記［ＯＶＤ形成層の組成］からなるＯＶＤ形成層材料インキをロールコート法にて、乾燥温度８０℃、厚み１．０μｍで塗布した。
【００４５】
次に、ＯＶＤレリーフパターンを有するニッケル製のＯＶＤ画像金型を１００℃に加熱し、公知のロールエンボス法によりＯＶＤ形成層上に押圧することで、ＯＶＤ形成層上にＯＶＤレリーフパターンを形成した。本実施例では、２ステップ法により撮影したレインボーホログラムをＯＶＤ画像に用いた。
次いで、上記方法でＯＶＤレリーフパターンを形成したＯＶＤ形成層上に、真空蒸着法を用いて、膜圧０．０５μｍのＡｌ蒸着薄膜層を形成して光反射層（ＯＶＤ効果層）を設け、図６に示すような平面で、図６に示すような断面積層構造を有する偽造防止を施したＯＶＤ媒体を得た。
【００４６】
［潜像形成層の組成］
・リオトロピック液晶水溶液                        ８０重量部
・ポリエステルエマルジョン                        ２０重量部
［ＯＶＤ形成層の組成］
・塩化ビニル−酢酸ビニル共重合体                  １５重量部
・ウレタン樹脂                                    １０重量部
・メチルエチルケトン                              ５０重量部
・トルエン                                        ２５重量部。
【００４７】
得られた偽造防止を施したＯＶＤ媒体は目視では潜像画像が全く視認できず、単なるホログラムフィルムに見える。しかし、偏光フィルムを重ねることで、図７に示すように、潜像画像が鮮明に出現し、また、偏光フィルムの角度を変えて重ねることで、図８に示すように、潜像画像の白黒表示が反転して出現することにより、良好な偽造防止を施したＯＶＤ媒体を得た。
【実施例２】
【００４８】
実施例１で得た偽造防止を施したＯＶＤ媒体の裏面に粘着加工を施し、離型紙を付けてステッカーを得た。
【産業上の利用可能性】
【００４９】
本発明は、例えば、商品及びパッケージ等に貼り付けされる表示媒体、特に専用の検証媒体を用いて潜像画像を目視確認することが可能な偽造防止性に優れた真性品表示媒体への応用が挙げられる。
【図面の簡単な説明】
【００５０】
【図１】本発明の偽造防止を施したＯＶＤ媒体の一実施例の平面図である。
【図２】図１の偽造防止を施したＯＶＤ媒体に偏光板を重ねたときに出現する潜像画像の説明図である。
【図３】図２に示すＸ−Ｘ線における断面である。
【図４】本発明の偽造防止を施したＯＶＤ媒体を段ボールに貼り付けた画像形成体の一実施例を示す斜視図である。
【図５】図４の画像形成体のＹ−Ｙ線における断面図である。
【図６】本発明の偽造防止を施したＯＶＤ媒体の他の第一例を示す平面図である。
【図７】図６の偽造防止を施したＯＶＤ媒体に偏光板を重ねたときに出現する潜像画像の説明図である。
【図８】図６の偽造防止を施したＯＶＤ媒体に偏光板を角度を変えて重ねたときに出現する他の潜像画像の説明図である。
【図９】図７に示すＺ−Ｚ線における断面図である。
【図１０】本発明の偽造防止を施したＯＶＤ媒体の他の第二例を示す平面図である。
【図１１】本発明の偽造防止を施したＯＶＤ媒体の他の第三例を示す平面図である。
【符号の説明】
【００５１】
１、２、３、４、５・・・偽造防止を施したＯＶＤ媒体
１１、３２、３３・・・潜像画像
１２、３１・・・偏光フィルム
１３、２２、３４、４４、５９・・・基材
１４、２３、３５、３６、４２、４３、５６、５７・・・潜像形成層
１５、３７、４９、５２・・・ＯＶＤ形成層
１６、３８、４５、５３、５８・・・光反射層（ＯＶＤ効果層）
２０・・・多層薄膜ＯＶＤ層
２１・・・被着体（段ボール）
２４・・・第１ＯＶＤ形成層
２５・・・第２ＯＶＤ形成層
２６、２７、２８、２９・・・薄膜層
２９・・・粘着層
４１・・・保護層
４６・・・粘着層
４７・・・剥離紙
５１・・・剥離保護層
５４、５５・・・接着層
【図１】
2006043978.tif 000003
【図２】
2006043978.tif 000004
【図３】
2006043978.tif 000005
【図４】
2006043978.tif 000006
【図５】
2006043978.tif 000007
【図６】
2006043978.tif 000008
【図７】
2006043978.tif 000009
【図８】
2006043978.tif 000010
【図９】
2006043978.tif 000011
【図１０】
2006043978.tif 000012
【図１１】
2006043978.tif 000013